(57)【要約】【課題】  従来の火災報知設備では、感知器回線の配線の異常は判別できるが、火災感知器の性能の低下や故障した場合に、火災受信機で報知することができなかった。【解決手段】  火災受信機１０に接続された感知器回線２０と、感知器回線２０に接続され感知器回線２０の線間電圧を所定電圧に低下させることで火災を通知する一個または複数の火災感知器３０と、を備えた火災報知設備１において、火災感知器３０は、火災感知器３０の性能低下を検出する異常判定部３３と、異常判定部３３が火災感知器３０の性能低下を検出したときに、感知器回線２０の線間電圧を所定電圧だけ低下させて性能低下を通知する状態出力部３５を備え、感知器回線２０は、感知器回線２０を断線させる終端装置４０が接続され、終端装置４０は、線間電圧が火災感知器異常閾値以下になったときに線間電圧が所定電圧だけ低下したと判断し、感知器回線２０を断線させることを特徴とする。【選択図】図１
2014157440.tif 000002
【特許請求の範囲】
【請求項１】
火災受信機に接続された感知器回線と、該感知器回線に接続され該感知器回線の線間電圧を所定電圧に低下させることで火災を通知する一個または複数の火災感知器と、を備えた火災報知設備において、
前記火災感知器は、火災感知器の性能低下を検出する異常判定部と、前記異常判定部が火災感知器の性能低下を検出したときに、前記感知器回線の線間電圧を所定電圧だけ低下させて性能低下を通知する状態出力部を備え、
前記感知器回線は、前記感知器回線を断線させる終端装置が接続され、
前記終端装置は、前記線間電圧が火災感知器異常閾値以下になったときに前記線間電圧が所定電圧だけ低下したと判断し、前記感知器回線を断線させることを特徴とする火災報知設備。
【請求項２】
前記終端装置は、起動時に前記線間電圧に基づき、火災感知器異常閾値を設定することを特徴とする請求項１の火災報知設備。
【請求項３】
前記終端装置は、所定回数分の線間電圧に基づき、火災感知器異常閾値を設定することを特徴とする請求項１の火災報知設備。
【発明の詳細な説明】
【技術分野】
【０００１】
本発明は、火災感知器の性能低下を警報することができる火災報知設備に関するものである。
【背景技術】
【０００２】
従来の火災報知設備には、火災受信機が中央監視室内に配設されて、火災受信機から火災感知器が接続された感知器回線が延設されている。火災感知器は、火災を検知するとスイッチング動作を行い感知器回線の電圧を低下させて感知器回線に流れる電流を増加させる。火災受信機は、感知器回線に流れる電流を監視することにより、正常、火災発生および感知器回線の配線の断線を判定している。（例えば、特許文献１参照）
このような火災受信機は、Ｐ型火災受信機と呼ばれ、感知器回線に流れる電流を電圧に変換して、変換した電圧を火災閾値、断線閾値等の各閾値との比較により火災等の判断をしている。
【先行技術文献】
【特許文献】
【０００３】
【特許文献１】特開平６−１７６２８９号公報
【発明の概要】
【発明が解決しようとする課題】
【０００４】
特許文献１に記載の火災報知設備では、感知器回線の配線の異常は判別できるが、火災感知器の性能の低下や故障した場合に、火災受信機で報知することができなかった。
火災感知器の性能が低下や故障を報知させるためには、火災感知器の性能の低下を火災受信機にパルス等の信号出力する自己点検機能を備える火災感知器を用いるとともに、火災感知器と通信を行う専用の火災受信機（例えば、Ｒ型）に取り替えなければならないという問題があった。
【課題を解決するための手段】
【０００５】
本発明に係る火災報知設備は、火災受信機に接続された感知器回線と、該感知器回線に接続され該感知器回線の線間電圧を所定電圧に低下させることで火災を通知する一個または複数の火災感知器と、を備えた火災報知設備において、前記火災感知器は、火災感知器の性能低下を検出する異常判定部と、前記異常判定部が火災感知器の性能低下を検出したときに、前記感知器回線の線間電圧を所定電圧だけ低下させて性能低下を通知する状態出力部を備え、前記感知器回線は、前記感知器回線を断線させる終端装置が接続され、前記終端装置は、前記線間電圧が火災感知器異常閾値以下になったときに前記線間電圧が所定電圧だけ低下したと判断し、前記感知器回線を断線させることを特徴とする。
【０００６】
本発明に係わる火災報知設備は、前記終端装置は、起動時に前記線間電圧に基づき、火災感知器異常閾値を設定することを特徴とする。
【０００７】
本発明に係わる火災報知設備は、前記終端装置は、所定回数分の線間電圧に基づき、火災感知器異常閾値を設定することを特徴とする。
【発明の効果】
【０００８】
本発明によれば、既設のＰ型火災受信機で、火災感知器の性能低下を報知することができる。
【図面の簡単な説明】
【０００９】
【図１】本発明の実施の形態１に係る火災報知設備の一例を示す概略構成図である。
【図２】本発明の実施の形態１に係る火災感知器の動作の一例を示すフローチャートである。
【図３】本発明の実施の形態１に係る終端装置の動作の一例を示すフローチャート図である。
【図４】本発明の実施の形態１に係る火災受信機の動作の一例を示すフローチャート図である。
【図５】本発明の実施の形態２に係る終端装置の動作の一例を示すフローチャート図である。
【図６】本発明の実施の形態３に係る終端装置の動作の一例を示すフローチャート図である。
【発明を実施するための形態】
【００１０】
（実施の形態１）
以下、本発明の実施の形態１について図面に基づき説明する。
図１は、本発明の実施の形態１に係わる火災報知設備１の一例を示す概略構成図である。
【００１１】
火災報知設備１は、建物（例えば、ホテル、マンションなどの集合住宅、オフィスビル、商業施設など）の各部屋や共用部などに設置される火災感知器３０と、火災感知器３０の検出結果に基づいた警報を行うＰ型火災受信機１０（以下、火災受信機１０と呼ぶ）とが、感知器回線２０によって接続されている。感知器回線２０の末端には終端装置４０が接続されている。また、火災受信機１０には、音声警報装置５０が接続されている。火災感知器３０は、スイッチング動作により、感知器回線２０の線間電圧を所定電圧に低下させることで火災受信機１０に火災を通知するものである。
【００１２】
ここで、図１においては、火災受信機から延設される一対の感知器回線２０のみ図示しているが、複数の感知器回線２０を火災受信機から延設するようにしても良い。また、２台の災感知器３０のみ図示しているが、感知器回線２０には所定数以内（例えば３０台）の火災感知器３０を接続することができる。
【００１３】
（火災受信機の構成）
火災受信機１０は、回線電源部１１、変換部１２、状態判定部１３、警報部１４、出力部１５および電池１６を備える。
回線電源部１１は、図示しない商用電源から供給された交流電圧を電源電圧として直流１２Ｖに変換して、感知器回線２０に通電する。停電時には、回線電源部１１は、商用電源から電池１６に切り替えて、電池１６から供給される電源を直流１２Ｖに変換して感知器回線２０に通電する。
【００１４】
変換部１２は、感知器回線２０に回線電源部１１から供給され、コモン線２１、各火災感知器３０および終端装置４０、ライン線２２を経由して流れる電流を図示しない受信抵抗に流すことで、受信抵抗の両端に電圧（以下、受信電圧と呼ぶ）を発生させる。
【００１５】
なお、感知器回線２０の線間電圧（コモン線２１とライン線２２間の電圧）と受信電圧は、回線電源部１１から供給される電源電圧が、コモン線２１−ライン線２２間インピーダンス（抵抗値）である［感知器回線２０の線間インピーダンス］：［受信抵抗］に分割される。すなわち、電源電圧が線間電圧と受信電圧に分割されるため、受信電圧は、電源電圧から線間電圧を引いた値となる。ここで、感知器回線２０の線間インピーダンスは、感知器回線２０に接続されている火災感知器２０のインピーダンスと終端装置４０のインピーダンスとの合成インピーダンスである。
【００１６】
状態判定部１３は、感知器回線２０の平常、火災、断線を判断するための火災閾値および断線閾値を有している。状態判定部１３は、変換部１２で変換された受信電圧を各閾値と比較して、感知器回線２０の状態を判定することで、火災感知器回線２０の異常を検出し、また、火災感知器３０からの火災検出および異常検出の通知を受信する。各閾値は、断線閾値＜火災閾値の関係となっている。
【００１７】
警報部１４は、表示灯およびブザーを有し、火災や異常の発生を表示とブザー音で警報する警報部である。
出力部１５は、火災や異常の発生を接続される外部機器に出力する。出力部１５は、火災出力接点と異常出力接点を有する。なお、本実施の形態では、接点出力として説明するが、コード信号としても良い。
【００１８】
（火災感知器の構成）
火災感知器には、煙感知器、熱感知器、炎感知器等があるが、ここでは火災時に発生する煙を検知して火災を検出する煙感知器を例に説明する。
火災感知器３０は、煙検出部３１、火災判定部３２、異常判定部３３、表示灯３４および状態出力部３５を備える。
【００１９】
煙検出部３１は、火災時に発生する煙を検知するものであり、図示しない暗室と発光素子および受光素子を有している。煙検出部３１は、暗室内に煙が流入した際に、煙によって発光素子が発した光が散乱され、その散乱光を受光素子で受光した受光量を電圧信号に変換して火災判定部３２および異常判定部３３に出力する。暗室内に流入した煙が多いほど散乱光が多くなり、受光量が多くなる。
【００２０】
火災判定部３２は、煙検出部３１から出力された電圧信号が火災レベルに達しているか否かにより、火災の判定を行い、火災を検出する。
異常判定部３３は、煙検出部３１から出力された電圧信号に基づき、異常の判定を行って異常を検出する。異常判定部３２は、工場出荷時の暗室内が汚れていない、かつ、煙が流入していない状態の電圧信号である初期電圧信号を記憶している。
【００２１】
表示灯３４は、火災判定部３２や異常判定部３３が火災や異常を検出したときに点灯して、火災や異常を報知する。
【００２２】
状態出力部３５は、火災判定部３２が火災を検出したときに、感知器回線２０の電圧を所定の電圧である火災電圧に低下させて、感知器回線２０に平常時よりも多くの電流を流し、感知器回線２０に火災信号を出力して、火災受信機１０に火災が発生したことを通知する。また、状態出力部３５は、異常判定部３３が異常を検出したときに、感知器回線２０に所定の電流を流し、感知器回線２０の線間電圧を所定の電圧だけ低下させて、感知器回線２０に異常信号を出力して、終端装置４０に火災感知器３０に異常が発生したことを通知する。
【００２３】
（終端装置の構成）
終端装置４０は、感知器異常受信部４１、終端抵抗４２および接離部４３を備える。
感知器異常受信部４１は、火災感知器異常閾値を有し、感知器回線２０の線間電圧と火災感知器異常閾値を比較することにより、火災感知器３０から異常信号を受信しているか否かを判断する。終端抵抗４２および接離部４３は、終端装置４０の内部配線を介して、コモン線２１とライン線２２との間に直列に接続されている。つまり、コモン線２１、接離部４３、終端抵抗４２、ライン線２２の順に直列に接続することで、感知器回線２０に終端抵抗４２を接続している。なお、終端抵抗４２と接離部４３の順番は逆でも良い。
【００２４】
終端抵抗４２は、微少電流を感知器回線２０に流すものである。
接離部４３は、平常時に終端抵抗４３をコモン線２１とライン線２２との間にまたがるように接続したり切り離したりして、火災感知器３０の何れかに異常が発生しているか否かを火災受信機１０に通知する。
【００２５】
（音声警報装置の構成）
音声警報装置５０は、入力部５１、音声制御部５２および音声部５３を備える。
入力部５１は、火災入力部と異常入力部を有し、火災受信機１０の出力部１５からの出力を検知する。
音声制御部５２は、複数の音声データを記憶しており、入力部５１の検知結果に基づき、音声部５３に音声データを送信する。
音声部５３は、アンプおよびスピーカーを有し、音声制御部５２から送信された音声データに基づき、音声を出力する。
【００２６】
（火災感知器の動作）
図２に基づき火災感知器３０の一例である煙感知器の動作を説明する。
煙検出部３１は、煙量を検出するために発光素子を発光させ、散乱光を受光素子で受光し、受光した受光量を電圧信号に変換する（Ｓ３０１）。火災判定部３２は、電圧信号が火災レベル以上であるかを判定する（Ｓ３０２）。火災判定部３２は、Ｓ３０２で火災レベル以上である場合には、火災検出し（Ｓ３０３）、表示灯３４を点灯させ火災感知器３０において火災を警報する。また、火災判定部３２は、状態出力部３５に火災検出を通知する。状態出力部３５は、火災検出の通知を受けると感知器回線２０を所定の電圧である火災電圧５Ｖに低下させ、平常時よりも多い電流を感知器回線２０に流す。これにより、火災感知器３０は、火災受信機の変換部１２で発生する受信電圧を大きくすることで、火災受信機に火災の発生を通知する（Ｓ３０４）。その後、Ｓ３０１に戻る。
【００２７】
異常判定部３３は、Ｓ３０２で電圧信号が火災レベル未満である場合には、電圧信号が初期電圧信号よりも所定値以上であるかを判定する（Ｓ３０５）。異常判定部３３は、Ｓ３０５の判定結果が所定値未満である場合には、初期電圧信号が電圧信号よりも所定値以上であるかを判定する（Ｓ３０６）。Ｓ３０６の判定結果が所定値未満である場合には、Ｓ３０１に戻る。
【００２８】
異常判定部３３は、Ｓ３０５およびＳ３０６の判定結果が、所定値以上の場合には、一過性のノイズや実際の煙によるものを除外するために、その状態が所定時間（例えば１時間）継続したかを判定する（Ｓ３０７）。Ｓ３０７で所定時間継続していない場合には、Ｓ３０１に戻る。異常判定部３３は、Ｓ３０７で所定時間継続した場合には、異常検出し（Ｓ３０８）、表示灯３４を点滅させ火災感知器３０において異常を警報し、状態出力部３５に異常検出を通知する（Ｓ３０９）。
【００２９】
状態出力部３５は、終端装置４０に異常を通知済みかつ前回の異常通知が所定時間（例えば２４時間）以内かを判定する（Ｓ３１０）。Ｓ３１０で通知済みかつ前回通知が２４時間以内である場合には、Ｓ３０１に戻る。状態出力部３５は、Ｓ３１０で終端装置４０にまだ異常を通知していない、あるいは前回の異常通知から２４時間経過していると判断すると、所定時間（例えば３秒）だけ異常インピーダンス状態になり、感知器回線２０に平常時流れている電流に加えて所定の電流を異常電流として感知器回線２０に流す。これにより、火災受信機１０の変換部１２の受信抵抗で発生する受信電圧が異常電流分だけ増え、その増えた電圧だけ感知器回線２０の線間電圧が低下する。すなわち、状態出力部３５は、感知器回線２０の線間電圧を所定の電圧である異常電圧３Ｖ分だけ低下させて、終端装置４０に異常の発生を通知する（Ｓ３１１）。その後、Ｓ３０１に戻る。火災感知器３０は、上記の動作により火災および異常の検出を繰り返し行う。
【００３０】
なお、Ｓ３０５では、散乱光の増加を生じる暗室の壁面に埃が付着していることを判定しており、少ない煙量で火災と誤判定することを防ぐことができる。また、Ｓ３０６では、発光素子および受光素子の劣化あるいは故障を判定しており、多くの煙量となるまで火災検出できなくなり警報が遅れることや火災検出できなくなることを防ぐことができる。つまり、火災感知器３０は、Ｓ３０５およびＳ３０６において、自己の性能低下（異常、不具合とも呼ぶ）を検出している。
【００３１】
（終端装置の動作）
図３に基づき終端装置４０の動作を説明する。
感知器異常受信部４１は、接離部４３を制御して、終端抵抗４２を感知器回線２０に接続し（Ｓ４０１）、線間電圧の検出を行う（Ｓ４０２）。感知器異常受信部４１は、線間電圧が火災感知器異常閾値１０Ｖ以下かを判定する（Ｓ４０３）。これは、火災感知器２０が異常電流を流して火災受信機１０の変換部１２での受信電圧を上昇させることにより、感知器回線２０の線間電圧を異常電圧３Ｖ低下させたときに、線間電圧が電源電圧１２Ｖから異常電圧３Ｖを引いた値である９Ｖ以下になるため、線間電圧が火災感知器異常閾値１０Ｖ以下となったか否かで火災感知器３０の異常を判断している。感知器異常受信部４１は、閾値以下と判断すると接離部４３を制御して感知器回線２０への終端抵抗４２の切断と接続を所定時間毎に（例えば３秒）繰り返す。これにより、終端抵抗４０は、火災受信機１０に火災感知器３０に異常が発生していることを通知する（Ｓ４０４）。その後、Ｓ４０２に戻り線間電圧の監視を繰り返す。
【００３２】
感知器異常受信部４１は、Ｓ４０３で線間電圧が火災感知器異常閾値を超える場合には、それが所定時間（例えば２４時間）継続するかを判定する（Ｓ４０５）。継続する場合には、Ｓ４０１に戻り、感知器回線２０に終端抵抗４２を接続して、火災受信機１０に火災感知器３０に異常が発生していないことを通知し、再び線間電圧の検出を繰り返す。継続しない場合には、Ｓ４０２に戻り線間電圧の監視を繰り返す。
【００３３】
（火災受信機の動作）
図４に基づき火災受信機１０の動作を説明する。
感知器回線２０に流れる電流は、断線時＜平常時＜火災時となっており、火災受信機１０は、感知器回線２０に流れる電流を判定することにより火災発生や断線発生を判断する。
変換部１２は、感知器回線２０の状態監視のために、感知器回線２０に流れる電流を受信抵抗により受信電圧に変換する（Ｓ１０１）。
【００３４】
状態判定部１３は、受信電圧が火災閾値４Ｖ以上であるかを判定する（Ｓ１０２）。これは、火災感知器２０が感知器回線２０の線間電圧を火災電圧５Ｖにしたときに、受信電圧が電源電圧１２Ｖから火災電圧５Ｖを引いた値である７Ｖになるため、受信電圧が火災閾値４Ｖを超えたか否かで火災を判定している。状態判定部１３は、Ｓ１０２の判定結果が火災閾値以上である場合には、火災感知器３０から火災の発生が通知されたと判定し、火災が発生していると判断する（Ｓ１０３）。状態判定部１３は、火災が発生していると判断すると、警報部１４および出力部１５に火災発生を通知する。通知を受けると、警報部１４は火災警報表示を行い、ブザーを連続的に鳴動させて火災受信機１０において火災の発生を警報し、出力部１５は、火災出力接点を閉じて外部機器に火災の発生を出力する（Ｓ１０４）。その後、Ｓ１０１に戻る。
【００３５】
状態判定部１３は、Ｓ１０２の判定結果が火災閾値未満である場合には、受信電圧が断線閾値以下であるかを判定する（Ｓ１０５）。状態判定部１３は、Ｓ１０５の判定結果が断線閾値以下である場合には、終端装置４０（終端抵抗）が脱落し、感知器回線３０に流れる電流が減少した、つまり、火災感知器３０が断線したと判断する（Ｓ１０６）。状態判定部１３は、断線が発生していると判断すると、警報部１４および出力部１５に断線発生を通知する。通知を受けると、警報部１４は断線警報表示を行い、ブザーを断続的に鳴動さて火災受信機１０において断線の発生を警報し、出力部１５は、異常出力接点を閉じて外部機器に異常の発生を出力する（Ｓ１０７）。その後、Ｓ１０１に戻る。
【００３６】
状態判定部１３は、Ｓ１０５の判定結果が断線閾値を超える場合には、平常と判断する（Ｓ１０８）。状態判定部１３は、平常と判断すると、警報部１４および出力部１５に平常を通知する。通知を受けると、警報部１４および出力部１５は、警報を行っている場合には、警報を停止し、出力を停止する（Ｓ１０９）。その後、Ｓ１０１に戻る。火災受信機１０は、上記の動作により、火災、平常および断線の判断を繰り返し行う。
【００３７】
（音声警報装置の動作）
音声警報装置５０は、火災受信機１０の出力部１５の出力に応じて音声警報を行う。
入力部５１は、火災入力部および異常入力部により、火災受信機１０の出力部１５の火災出力接点および異常出力接点を監視しており、出力接点が閉じたときに出力を検知する。
入力部５１は、火災出力および異常出力の検知結果を音声制御部５２に通知する。
音声制御部５２は、入力部５１から火災出力ありの通知を受信すると、火災警報の音声データを音声部５３に送信し、音声部５３が「火災が発生しました、現場を確認してください。」と発音して、火災発生を音声で報知する。
【００３８】
音声制御部５２は、入力部５１から異常出力有りの通知を受信すると、異常の通知が所定時間継続しているか、あるいは所定時間周期で断続的に異常の通知を受信しているかを判定する。音声制御部５２は、異常の通知が所定時間継続していると判定した場合には、断線警報の音声データを音声部５３に送信し、音声部５３が「断線が発生しました、メンテナンス業者に連絡してください。」と発音して、断線の異常発生を音声で報知する。また、音声制御部５２は、異常の通知が所定時間周期で断続していると判定した場合には、火災感知器異常警報の音声データを音声部５３に送信し、音声部５３が「火災感知器の性能が低下しています、メンテナンス業者に連絡してください。」と発音して、火災感知器の異常発生を音声で報知する。
【００３９】
以上のように本実施の形態１に係る火災報知設備１は、火災感知器３０が感知器回線のインピーダンスを低下させ異常電流分の電流を増加させて流すことで感知器回線２０の電圧を所定電圧だけ低下させて、性能が低下したことを終端装置に通知し、通知を受信した終端装置が感知器回線への終端抵抗の切断、接続を繰り返すため、既設のＰ型の火災受信機１であっても、火災感知器３０の不具合を報知することができる。
【００４０】
（実施の形態２）
上記の実施の形態１においては、終端装置４０が感知器回線２０の線間電圧が固定の閾値である火災感知器異常閾値１０Ｖ以下か否かにより、火災感知器３０が異常を通知してきているかの判断を行う例について説明した。実施の形態１の終端装置４０は、火災受信機１０の回線電源部１１が変換する電源電圧の電圧値が同じ値である場合には、有効である。しかしながら、変換誤差があり個体毎に電源電圧の電圧値が異なる火災受信機１０の機種では、火災感知器３０の異常通知を受信できないことがある。
ここで、個体により電源電圧が１０〜１４Ｖの何れかに変換される火災受信機について説明する。電源電圧が１０Ｖに変換される個体では、電源電圧が、線間電圧と受信電圧に分圧されるため、線間電圧がいつでも火災感知器異常閾値１０Ｖ以下となり、終端装置４０は、常時異常を受信している状態となる。また、電源電圧が１４Ｖに変換される個体では、火災感知器３０が異常を通知するために線間電圧を３Ｖ低下させたとしても線間電圧が１０Ｖ以下にならず、終端装置４０は、火災感知器３０の異常を受信できなくなる。
【００４１】
実施の形態２では、起動時（イニシャル時）の感知器回線２０の線間電圧に基づき火災感知器異常閾値を設定する終端装置４０の動作について図５に基づき説明する。
なお、火災報知設備１の構成については、実施の形態１と同様である。
また、終端装置４０以外の動作については、実施の形態１と同様である。
【００４２】
感知器異常受信部４１は、感知器回線２０に電源電圧が通電され起動すると接離部４３を制御して、終端抵抗４２を感知器回線２０に接続し（Ｓ４２１）、線間電圧の検出を行う（Ｓ４２２）。感知器異常受信部４１は、火災感知器異常閾値が設定済みかを判定し（Ｓ４２３）、設定済みでない場合には、線間電圧の検出回数が所定回数に達しているかを判定する（Ｓ４２４）。感知器異常受信部４１は、Ｓ４２４で所定回数に達していないと判断するとＳ４２２に戻り、線間電圧の検出回数が所定回数に達するまでＳ４２２〜Ｓ４２４を繰り返す。線間電圧の検出回数が所定回数に達すると、感知器異常受信部４１は、所定回数検出した線間電圧の平均値から所定の電圧である２Ｖを減じた電圧値を火災感知器異常閾値として設定する（Ｓ４２５）。感知器異常受信部４１は、Ｓ４２５で火災感知器異常閾値の設定を行うと、Ｓ４２３の判定にてＳ４２４およびＳ４２５をとばして、以後、火災感知器異常閾値の設定を行わない。
【００４３】
感知器異常受信部４１は、線間電圧が火災感知器異常閾値以下かを判定する（Ｓ４２６）。感知器異常受信部４１は、閾値以下と判断すると接離部４３を制御して感知器回線２０への終端抵抗４２の切断と接続を所定時間毎に（例えば３秒）繰り返す。これにより、終端抵抗４０は、火災受信機１０に火災感知器３０に異常が発生していることを通知する（Ｓ４２７）。その後、Ｓ４４２に戻り線間電圧の監視を繰り返す。
感知器異常受信部４１は、Ｓ４２６で線間電圧が火災感知器異常閾値を超える場合には、それが所定時間（例えば２４時間）継続するかを判定する（Ｓ４２８）。継続する場合には、Ｓ４２１に戻り、感知器回線２０に終端抵抗４２を接続して、火災受信機１０に火災感知器３０に異常が発生していないことを通知し、再び線間電圧の検出を繰り返す。継続しない場合には、Ｓ４２２に戻り線間電圧の監視を繰り返す。
【００４４】
以上のように本実施の形態２に係る火災報知設備１は、例えば電源が投入された動作初期時において、終端装置４０が測定した線間電圧に基づき火災感知器異常閾値を設定するため、火災受信機１０の個体差により、回線電源部１１が変換する電源電圧が異なる電圧値であったとしても、火災感知器２０が感知器回線２０を所定電圧だけ低下させる異常の通知を終端装置４０が受けとることができる。そのため、既設のＰ型の火災受信機１０であっても、火災感知器３０の不具合を報知することができる。
【００４５】
（実施の形態３）
実施の形態１および２においては、感知器回線２０に通電される電源電圧が変動しない例について説明した。しかしながら、火災受信機には、例えば停電による電池動作時には、電池から直接感知器回線２０に通電するため、徐々に電圧が低下して感知器回線２０に通電される等により、感知器回線２０の線間電圧が時間とともに変動するものもある。
このように感知器回線２０の線間電圧が時間とともに変動する場合には、終端抵抗４０が火災感知器２０の線間電圧を火災感知器異常閾値が固定の値で判定すると、火災感知器３０の異常の通知を受信できないことがある。
【００４６】
実施の形態３では、所定時間毎の感知器回線２０の線間電圧に基づき火災感知器異常閾値を設定する終端装置４０の動作について図６に基づき説明する。
なお、火災報知設備１の構成については、実施の形態１と同様である。
また、終端装置４０以外の動作については、実施の形態１と同様である。
【００４７】
感知器異常受信部４１は、接離部４３を制御して、終端抵抗４２を感知器回線２０に接続し（Ｓ４４１）、線間電圧の検出を行う（Ｓ４４２）。感知器異常受信部４１は、所定回数分の線間電圧の平均値を算出する（Ｓ４２３）。感知器異常受信部４１は、算出した平均値と火災感知器異常閾値との差が所定範囲以内かを判定し（Ｓ４４４）、所定範囲以内であれば、平均値から所定電圧である２Ｖを減じた電圧値を火災感知器異常として再設定する（Ｓ４４５）。感知器異常受信部４１は、Ｓ４４４で差が所定範囲を超えている場合には、感知器回線２０が断線した、あるいは火災感知器３０が火災を通知した等で感知器回線２０の電圧が大きく変動したものと判断し、火災感知器異常閾値の再設定を行わず、Ｓ４４６へ進む。
【００４８】
感知器異常受信部４１は、線間電圧が火災感知器異常閾値以下かを判定する（Ｓ４４６）。感知器異常受信部４１は、閾値以下と判断すると接離部４３を制御して感知器回線２０への終端抵抗４２の切断と接続を所定時間毎に（例えば３秒）繰り返す。これにより、終端抵抗４０は、火災受信機１０に火災感知器３０に異常が発生していることを通知する（Ｓ４４７）。その後、Ｓ４４２に戻り線間電圧の監視を繰り返す。
感知器異常受信部４１は、Ｓ４４６で線間電圧が火災感知器異常閾値を超える場合には、それが所定時間（例えば２４時間）継続するかを判定する（Ｓ４４８）。継続する場合には、Ｓ４４１に戻り、感知器回線２０に終端抵抗４２を接続して、火災受信機１０に火災感知器３０に異常が発生していないことを通知し、再び線間電圧の検出を繰り返す。継続しない場合には、Ｓ４４２に戻り線間電圧の監視を繰り返す。
【００４９】
以上のように本実施の形態３に係る火災報知設備１は、終端装置４０が測定した所定時間における線間電圧に基づき火災感知器異常閾値を再設定するため、感知器回線２０に供給される電源電圧が時間とともに変化する場合であっても、火災感知器２０が感知器回線２０を所定電圧だけ低下させる異常の通知を終端装置４０が受けとることができる。そのため、既設のＰ型の火災受信機１０であっても、火災感知器３０の不具合を報知することができる。
【符号の説明】
【００５０】
１０  火災受信機、１１  回線電源部、１２  変換部、１３  状態判定部、１４  警報部、１５  出力部、１６  電池、２０  感知器回線、２１  コモン線、２２  ライン線、３０  火災感知器、３１  煙検出部、３２  火災判定部、３３  異常判定部、３４  表示灯、３５  状態出力部、４０  終端装置、４１  感知器異常受信部、４２  終端抵抗、４３  接離部
【図１】
2014157440.tif 000003
【図２】
2014157440.tif 000004
【図３】
2014157440.tif 000005
【図４】
2014157440.tif 000006
【図５】
2014157440.tif 000007
【図６】
2014157440.tif 000008